(57)【要約】【課題】照光を変えることにより表示部上で種々の機能（動作）状態を表現する照光式表示装置を提供する。【解決手段】第１照光部（１６、２６）及び第２照光部（１８、２８）を有する保持部（１２、２２）を設ける。透過性の第１表示部分（１４ａ、２４ａ）及び第２表示部分（１４ｂ、２４ｂ）を有する表示部（１４、２４）を設ける。表示部（１４、２４）は保持部（１２、２２）から所定の距離を置いて配置されている。第１表示部分（１４ａ、２４ａ）及び第２表示部分（１４ｂ、２４ｂ）が、第１照光部（１６、２６）からの照光及び第２照光部（１８、２８）からの照光とそれぞれ実質的に同色の関係を有し、かつ、第２照光部（１８、２８）からの照光及び第１照光部（１６、２６）からの照光とそれぞれ実質的に補色の関係を有する。【選択図】　図２
2004070201.tif 000002
【特許請求の範囲】
【請求項１】
保持部（１２、２２）に第１照光部（１６、２６）及び第２照光部（１８、２８）を設けるとともに、表示部（１４、２４）に透過性の第１表示部分（１４ａ、２４ａ）及び第２表示部分（１４ｂ、２４ｂ）を設け、表示部（１４、２４）が保持部（１２、２２）から所定の距離を置いて配置されており、第１表示部分（１４ａ、２４ａ）及び第２表示部分（１４ｂ、２４ｂ）が、第１照光部（１６、２６）からの照光及び第２照光部（１８、２８）からの照光に対し、それぞれ実質的に同色の関係を有し、かつ、第２照光部（１８、２８）からの照光及び第１照光部（１６、２６）からの照光に対し、それぞれ実質的に補色の関係を有する照光式表示装置。
【請求項２】
第１表示部分（１４ａ、２４ａ）及び第２表示部分（１４ｂ、２４ｂ）の少なくとも一方が、色つきフィルムを含んでいることを特徴とする請求項１に記載の照光式表示装置。
【請求項３】
第１表示部分（１４ａ、２４ａ）及び第２表示部分（１４ｂ、２４ｂ）の少なくとも一方に、インクが塗布されていることを特徴とする請求項１又は２に記載の照光式表示装置。
【請求項４】
第１表示部分（１４ａ、２４ａ）及び第２表示部分（１４ｂ、２４ｂ）の少なくとも一方の表面に、半透過性の膜を設けたことを特徴とする請求項１〜３のいずれか１項に記載の照光式表示装置。
【請求項５】
表示部（１４、２４）における第１表示部分（１４ａ、２４ａ）及び第２表示部分（１４ｂ、２４ｂ）以外の部分に、第１照光部（１６、２６）からの照光及び第２照光部（１８、２８）からの照光を透過しない非透過性部分（１４ｃ、２４ｃ）を設けたことを特徴とする請求項１〜４のいずれか１項に記載の照光式表示装置。
【請求項６】
第１表示部分（１４ａ、２４ａ）及び第２表示部分（１４ｂ、２４ｂ）が、文字、図形、及び記号のうちの少なくとも１つを表示する構成になっていることを特徴とする請求項１〜５のいずれか１項に記載の照光式表示装置。
【請求項７】
表示部（１４、２４）における第１表示部分（１４ａ、２４ａ）及び第２表示部分（１４ｂ、２４ｂ）以外の部分が、文字、図形、及び記号のうちの少なくとも１つを表示する構成になっていることを特徴とする請求項１〜６のいずれか１項に記載の照光式表示装置。
【請求項８】
表示部（１４、２４）と保持部（１２、２２）がセルを構成し、複数のセルを組み合わせたことを特徴とする請求項１〜７のいずれか１項に記載の照光式表示装置。
【発明の詳細な説明】
【０００１】
【発明の属する技術分野】
この発明は、機械等の動作状態や運転状況の表示に好適に用いられる照光式表示装置に関する。
【０００２】
【従来の技術】
従来、機械等の動作状態や停止状態を表示するため、照光によりそれぞれの状態を表示する装置（照光式スイッチとも言う）が用いられている。通常の照光式スイッチは、機能や動作の状態を、照光時＝作動状態（ＯＮ）、非照光時＝停止状態（ＯＦＦ）で現している。
【０００３】
また、例えば、Ａという動作とＢという動作を、トグルで状態変更するとき、照光時＝Ａ動作、非照光時＝Ｂ動作のように現す場合もある。
【０００４】
【発明が解決しようとする課題】
しかしながら、照光時＝Ａ動作、非照光時＝Ｂ動作のように動作が現されているとき、あらかじめ動作情況と照光状態の組合せが判っていないと瞬時にその動作情況を把握できない。
【０００５】
そこで本発明は、照光を変えることにより表示部上で種々の機能（動作）状態を表現できる照光式表示装置を提供することを目的としている。
【０００６】
【課題を解決するための手段】
本発明の課題を解決するための手段を例示すると、以下のとおりである。
【０００７】
（１）　保持部（１２、２２）に第１照光部（１６、２６）及び第２照光部（１８、２８）を設けるとともに、表示部（１４、２４）に透過性の第１表示部分（１４ａ、２４ａ）及び第２表示部分（１４ｂ、２４ｂ）を設け、表示部（１４、２４）が保持部（１２、２２）から所定の距離を置いて配置されており、第１表示部分（１４ａ、２４ａ）及び第２表示部分（１４ｂ、２４ｂ）が、第１照光部（１６、２６）からの照光及び第２照光部（１８、２８）からの照光に対し、それぞれ実質的に同色の関係を有し、かつ、第２照光部（１８、２８）からの照光及び第１照光部（１６、２６）からの照光に対し、それぞれ実質的に補色の関係を有する照光式表示装置。
【０００８】
（２）　第１表示部分（１４ａ、２４ａ）及び第２表示部分（１４ｂ、２４ｂ）の少なくとも一方が、色つきフィルムを含んでいることを特徴とする前述の照光式表示装置。
【０００９】
（３）　第１表示部分（１４ａ、２４ａ）及び第２表示部分（１４ｂ、２４ｂ）の少なくとも一方に、インクが塗布されていることを特徴とする前述の照光式表示装置。
【００１０】
（４）　第１表示部分（１４ａ、２４ａ）及び第２表示部分（１４ｂ、２４ｂ）の少なくとも一方の表面に、半透過性の膜を設けたことを特徴とする前述の照光式表示装置。
【００１１】
（５）　表示部（１４、２４）における第１表示部分（１４ａ、２４ａ）及び第２表示部分（１４ｂ、２４ｂ）以外の部分に、第１照光部（１６、２６）からの照光及び第２照光部（１８、２８）からの照光を透過しない非透過性部分（１４ｃ、２４ｃ）を設けたことを特徴とする前述の照光式表示装置。
【００１２】
（６）　第１表示部分（１４ａ、２４ａ）及び第２表示部分（１４ｂ、２４ｂ）が、文字、図形、及び記号のうちの少なくとも１つを表示する構成になっていることを特徴とする前述の照光式表示装置。
【００１３】
（７）　表示部（１４、２４）における第１表示部分（１４ａ、２４ａ）及び第２表示部分（１４ｂ、２４ｂ）以外の部分が、文字、図形、及び記号のうちの少なくとも１つを表示する構成になっていることを特徴とする前述の照光式表示装置。
【００１４】
（８）　表示部（１４、２４）と保持部（１２、２２）がセルを構成し、複数のセルを組み合わせたことを特徴とする前述の照光式表示装置。
【００１５】
【発明の実施の形態】
本発明の好適な実施形態においては、照光式表示装置は保持部と表示部を有するセルを単独で、あるいは複数の組合せで構成される。
【００１６】
好ましくは、保持部は箱型の容器として構成されるが、単なる基板であっても良い。
【００１７】
後述する実施例においては、第１照光部と第２照光部は、第１表示部分と第２表示部分に対応させて設けられているが、他の例においては対応していなくても良い。例えば、第１照光部と第２照光部を交互に複数配置して、第１表示部分と第２表示部分を複数の第１照光部と第２照光部で照光しても良い。他の例においては、第１照光部と第２照光部をそれぞれ複数の光源で構成しても良い。第１照光部と第２照光部それ自体が特定の色を照光しなくても良く、色つきフィルター等を介して照光部からの照光を特定色の照光にしても良い。
【００１８】
好ましくは、第１表示部分及び第２表示部分は、文字、図形、記号やこれらの適当な組み合わせ（以下、文字等という）で構成される。あるいは、第１表示部分及び第２表示部分以外の部分を文字等で構成しても良い。この場合、第１表示部分及び第２表示部分を照光させることにより、第１表示部分及び第２表示部分以外の部分を文字等として表示させることができる。他の例においては、第１表示部分及び第２表示部分をドットで構成し、それぞれのドットが互いに重ならないように配置して、同じ領域に異なる文字等を表すようにしても良い。
【００１９】
好ましくは、第１表示部分及び第２表示部分が、第１照光部からの照光及び第２照光部からの照光とそれぞれ同色の関係を有するが、完全な同色の関係でなくても良い。同様に、好ましくは、第１表示部分及び第２表示部分が、第２照光部からの照光及び第１照光部からの照光とそれぞれ補色の関係を有するが、完全な補色の関係でなくても良い。一方の表示が他方の表示に対して浮かび上がるか明確に認識される程度の色であれば良い。
【００２０】
好ましくは、第１表示部分と第２表示部分は色つきフィルムを有するが、インクを塗布したものであっても良い。いずれにしろ、第１表示部分と第２表示部分が本発明の構成要件を満たす色の関係を有するものであれば良い。
【００２１】
好ましくは、第１表示部分及び第２表示部分が、文字、図形、及び記号のうちの少なくとも１つにより構成される。以下に示す実施例においては、文字部分に透過性の赤と緑を用いている。なお、表示部を交換可能に構成し、種々の文字等を表示できるようにしても良い。
【００２２】
好ましくは、表示部における第１表示部分及び第２表示部分以外の部分を非透過性部分として構成する。非透過性部分に不透明な黒、グレーなどの色を用いることにより、第１照光部からの照光と第２照光部からの照光に対してコントラストを取るのが良い。或いは、非透過性部分に第１照光部からの照光と第２照光部からの照光の混合により生ずる無彩色を用いても良い。これにより、非表示となる一方の表示部分を目立たなくしても良い。
【００２３】
好ましくは、別の態様においては、表示部における第１表示部分及び第２表示部分以外の部分が、文字、図形、及び記号のうちの少なくとも１つにより構成される。文字部分を非透過性（例えば、不透明の黒）とし、背景を透過性（例えば、表面を乳白色、背面を透明の赤と緑）にしても同様の機能を持たせることが可能である。
【００２４】
本発明においては、特に、単一の照光式スイッチ（セル型の表示装置の典型例）において種々の機能（動作）状態が表示できる照光式表示装置を提供する。好ましくは、種々の色の照光機能と表示文字（記号、マーク）の色を組み合わせることにより、機能（動作）のＯＮ＝ＯＦＦという、単一の表現でなく、種々の機能（動作）状態の文字、記号、マークの表記を可能とする。
【００２５】
なお、後述の実施例においては、照光式表示装置の一例として照光式のスイッチを説明する。照光式のスイッチは、照光部が単一又は複数に分割されていても漏洩光が有るものとしている。本発明は、そのような実施形態に限定されない。スイッチ機構が無く、単に表示機能だけの照光式表示装置にも、本発明は適用できるものである。
【００２６】
また、後述の実施例においては、赤の補色を緑として記載してあるが、この緑は青緑を含むものである。要するに、赤色と緑色が補色関係になればよく、厳密な意味で赤や緑を記しているわけではない。
【００２７】
【実施例】
以下、図面を参照して、本発明の実施例を説明する。
【００２８】
図１は、本発明による照光式表示装置、とくに照光式スイッチの実施態様の概念を示している。
【００２９】
表示装置１０は、保持部１２と、表示部１４を有している。
【００３０】
保持部１２には、第１照光部１６と第２照光部１８が設けられている。第１照光部１６は、赤色の照光を生ずるものである。第２照光部は、緑色の照光を生ずるものである。第１照光部１６と第２照光部１８は、それぞれ独立して照光及び非照光状態にすることができる。
【００３１】
表示部１４は、保持部１２の上方に位置している。表示部１４は、透過性の第１表示部分１４ａ、透過性の第２表示部分１４ｂ、及び本発明における非透過性部分の典型例としての非透過性の背景部分１４ｃを有している。
【００３２】
第１表示部分１４ａは、透過性フィルムで形成されていて、赤色を有している。第２表示部分１４ｂは、透過性フィルムで形成されていて、緑色を有している。背景部分１４ｃは、不透明部材で形成されていて、黒色を有している。
【００３３】
すなわち、赤色の第１表示部分１４ａと緑色の第２表示部分１４ｂは、それぞれ第１照光部１６の赤色の照光及び第２照光部１８の緑色の照光と同色の関係を有し、かつ、それぞれ第２照光部１８の緑色の照光及び第１照光部１６の赤色の照光と補色の関係を有している。
【００３４】
背景部分１４ｃは、非透過すなわち照光部からの照光を透過しないように構成されている。背景部分１４ｃの色には、不透明な黒、グレーなどを用いることができる。これにより、表示部分とコントラストが取ることができ、比較的明瞭に文字、記号を読み取ることができる。
【００３５】
表示装置１０の使用法を説明する。
【００３６】
例えば、第１照光部１６により赤色が照光された場合が、Ａ動作の状態を表すものとする。第２照光部１８により緑色が照光された場合が、Ｂ動作の状態を表すものとする。
【００３７】
Ａ動作時は、第１照光部１６から赤色が照光され、赤色の第１表示部分１４ａが浮かび上がる。これによりＡ動作情況が明確に認識される。緑色の第２表示部分１４ｂは、赤色で照光されるため、照明色（＝赤色）に対して補色（＝緑色）となり、浮かび上がる事はない。これによりＢ動作状況は認識されない。
【００３８】
Ｂ動作時は、第２照光部１８から緑色が照光され、緑色の第２表示部分１４ｂが浮かび上がる。これによりＢ動作情況が明確に認識される。赤色の第１表示部分１４ａは、緑色で照光されるため、照明色（＝緑色）に対して補色（＝赤色）となり、浮かび上がる事はない。これによりＡ動作状況は認識されない。
【００３９】
このように、表示装置上の文字等の色と照光色の組み合わせにより、種々の機能（動作）状態を単一の表示装置で表示できる。
【００４０】
図２は、本発明による表示装置の典型例を示す上面図である。図３及び図４は、それぞれ表示装置のａ−ａ断面図及びｂ−ｂ断面図である。
【００４１】
図２に示した例において、表示装置はセル型の照光式スイッチ２０として構成されている。照光式スイッチ２０は、機械等（図示省略）に取り付けて用いられ、機械等の動作の状態を表示するのに用いられる。
【００４２】
照光式スイッチ２０は、セル型に構成されていて、保持部の典型例としての容器２２と、容器２２の上部を覆う蓋状の表示部２４を有している。
【００４３】
容器２２内部の底面２２ａには、赤ＬＥＤ２６と緑ＬＥＤ２８が設けられている。赤ＬＥＤ２６と緑ＬＥＤ２８は、それぞれ本発明における第１照光部と第２照光部の典型例である。赤ＬＥＤ２６と緑ＬＥＤ２８は、それぞれ独立して照光及び非照光状態にすることができる。
【００４４】
表示部２４は、容器２２の上部に取り付けられていて、設定表示２４ａ、検査表示２４ｂ、及び背景部分２４ｃを有している。設定表示２４ａ、検査表示２４ｂ、及び背景部分２４ｃは、それぞれ本発明における透過性の第１表示部分、透過性の第２表示部分、及び非透過性部分の典型例である。
【００４５】
設定表示２４ａは、設定という文字で構成された透過性のプレートからなる。設定表示２４ａの裏面には赤の色つきフィルムが設けられている。すなわち、設定表示２４ａは、赤ＬＥＤ２６の照光と同色の関係を有し、かつ、緑ＬＥＤ２８の照光と補色の関係を有している。また、設定表示２４ａの上面には、乳白色半透明のインク（図示省略）が塗布されていて、非照光時に白色に見えるようになっている。なお、設定表示２４ａの裏面に赤インクを塗布しても良いし、設定表示２４ａを赤の色つきプレートで構成しても良い。設定表示２４ａの上面に、乳白色半透明のフィルムを設けても良い。
【００４６】
検査表示２４ｂは、検査という文字で構成された透過性のプレートからなる。検査表示２４ｂの裏面には緑の色つきフィルムが設けられている。すなわち、検査表示２４ｂは、緑ＬＥＤ２８の照光と同色の関係を有し、かつ、赤ＬＥＤ２６の照光と補色の関係を有している。また、検査表示２４ｂの上面には、乳白色半透明のインク（図示省略）が塗布されていて、非照光時に白色に見えるようになっている。なお、検査表示２４ｂの裏面に緑インクを塗布しても良いし、検査表示２４ｂを緑の色つきプレートで構成しても良い。検査表示２４ｂの上面に、乳白色半透明のフィルムを設けても良い。
【００４７】
背景部分２４ｃは、表示部２４における設定表示２４ａ及び検査表示２４ｂ以外の中央領域に、非透過すなわち照光部からの照光を透過しないプレートで構成されている。背景部分２４ｃの色は、例えば黒やグレーの不透明色として赤や緑に対してコントラストを取るのが好ましい。
【００４８】
照光式スイッチ２０の使用例を説明する。
【００４９】
図２〜４に示した例においては、赤ＬＥＤ２６により赤色が照光された場合が、機械が設定状態にあることを示すものとする。緑ＬＥＤ２８により緑色が照光された場合が、機械が検査状態にあることを示すものとする。
【００５０】
設定時は、赤ＬＥＤ２６から赤色が照光され、赤色の設定表示２４ａが浮かび上がる。これにより機械が設定状態にあることが明確に認識される。緑色の検査表示２４ｂは、赤色で照光されるため、照明色（＝赤色）に対して補色（＝緑色）となり、浮かび上がる事はない。これにより検査の表示は認識されない。
【００５１】
検査時は、緑ＬＥＤ２８から緑色が照光され、緑色の検査表示２４ｂが浮かび上がる。これにより機械が検査状態にあることが明確に認識される。赤色の設定表示２４ａは、緑色で照光されるため、照明色（＝緑色）に対して補色（＝赤色）となり、浮かび上がる事はない。これにより設定の表示は認識されない。
【００５２】
このようにして、スイッチ上の文字の色と照光照明色の組み合わせにより、種々の機能（動作）状態の表示を単一のスイッチ上で実現することが可能である。
【００５３】
【発明の効果】
本発明によれば、照光をスイッチすることにより表示部上で種々の状態を表現できる。
【００５４】
表示部における第１表示部分及び第２表示部分以外の部分を、非透過性部分として構成すれば、第１表示部分及び第２表示部分を明確に読み取ることができる。
【００５５】
表示部の表面に半透過性の薄を設ければ、補色照光時の浮かび上がりを防止でき、背景部分とコントラストを取るようにすれば、表示部分を明確に読み取ることができる。
【００５６】
なお、本発明は図示された実施例に限定されない。照光部や表示部分の構成は任意である。補色も赤と緑（青緑）の他、紫と黄緑、青と黄、その他の種々の補色関係を用いることができる。
【図面の簡単な説明】
【図１】本発明による照光式表示装置の概念図。
【図２】本発明による照光式表示装置の典型例を示す上面図。
【図３】図２のａ−ａ断面図。
【図４】図２のｂ−ｂ断面図。
【符号の説明】
１０　照光式表示装置
１２　保持部
１４、２４　表示部
１４ａ　第１表示部分
１４ｂ　第２表示部分
１４ｃ、２４ｃ　背景部分
１６　第１照光部
１８　第２照光部
２０　照光式スイッチ
２２　容器
２２ａ　底面
２４ａ　検査表示
２４ｂ　設定表示
２６　赤ＬＥＤ
２８　緑ＬＥＤ
【図１】
2004070201.tif 000003
【図２】
2004070201.tif 000004
【図３】
2004070201.tif 000005
【図４】
2004070201.tif 000006